【事件の表示】
　平成１１年特許願第１１６５３７号「原稿読取装置及び画像形成装置」拒絶査定に対する審判事件［平成１２年１１月　２日出願公開、特開２０００−３０７８０１］について、次のとおり審決する。
【結　論】
　本件審判の請求は、成り立たない。
【理　由】
１．手続の経緯・本願発明
 　本願は、平成１１年４月２３日の出願であって、その請求項１に係る発明は、平成１４年７月３日付けの手続補正書により補正された明細書及び図面の記載からみて、その特許請求の範囲の請求項１に記載された次の事項により特定されるとおりのものと認める。（以下、「本願発明」という。）
 「【請求項１】　原稿を積載する給紙トレイと、
　前記給紙トレイ上の原稿を給紙する送り出し手段と、
　前記送り出し手段から給紙された原稿を分離し搬送する分離手段と、
　前記分離手段で分離された原稿を露光位置に搬送するレジストローラと、
　前記露光位置を通過する原稿からの像光を透過する露光窓と、
　前記露光窓を介して原稿の画像を読み取って電気信号に変換する読取手段と、
　前記レジストローラに接触してクリーニングするクリーニング手段を設けたことを特徴とする原稿読取装置。」
　
２．引用例
（１）特開平１１−５６４５号公報（引用例１）
これに対して、原査定の拒絶の理由に引用された、本願の出願の日前である平成１１年１月１２日に頒布された特開平１１−５６４５号公報（以下「引用例１」という。）には、次の事項が記載されている。
　（ア）「【特許請求の範囲】
　　【請求項１】　原稿ガイド板上からコンタクトガラスおよび原稿押さえローラの間に原稿を通過させ、コンタクトガラスの裏面に配置した画像読み取り部上を移動する原稿の画像を読み取る原稿移動型読取装置において、
　原稿の被読み取り面との接触により前記原稿の清掃を行う原稿清掃部材を、前記原稿押さえローラよりも前記原稿の搬送方向上流であって前記原稿の被読み取り面側に設けたことを特徴とする原稿移動型読取装置。
　　【請求項２】　原稿清掃部材が原稿の被読み取り面に接触する板状体であり、前記板状体を前記原稿ガイド板と一体に形成したことを特徴とする請求項１に記載の原稿移動型読取装置。
　　【請求項３】　原稿清掃部材が原稿の被読み取り面に接触する板状体であり、板状体を回動する回動手段を設けて前記原稿と前記板状体との接触圧を変更することを特徴とする請求項１に記載の原稿移動型読取装置。
　　【請求項４】　板状体が弾性部材であることを特徴とする請求項２または３に記載の原稿移動型読取装置。
　　【請求項５】　原稿清掃部材が原稿の被読み取り面に回転しながら接触する回転体であり、前記回転体に当接し前記回転体に静電力を印加する帯電ローラを設けたことを特徴とする請求項１に記載の原稿移動型読取装置。
　　【請求項６】　回転体に当接し静電力によって前記回転体から付着物を取り除くクリーニングローラを設けたことを特徴とする請求項５に記載の原稿移動型読取装置。
　　【請求項７】　原稿の通過を検出するセンサを設け、前記センサにより前記原稿の通過がないことを検出した際にクリーニングローラを除電することを特徴とする請求項６に記載の原稿移動型読取装置。」（引用例１の２頁１欄１〜３０行、段落【特許請求の範囲】）
　（イ）「【０００３】このような原稿移動型読取装置においては、原稿が原稿押さえローラとコンタクトガラスの間の隙間を通過する際、画像面側に付いた付着物をコンタクトガラス上に付着させることがある。この付着物がちょうどＣＣＤの読み込み位置上に付着すると、原稿読み取りの際に常に画像上に現れる。このため、付着物がたとえ微少な粒状であっても、コピー画像には搬送方向全体につながる線、いわゆる黒スジとして現れ、画像に忠実な読み込みを行うことができない。」（引用例１の２頁１欄４４行〜同頁２欄２行、段落【０００３】）
　（ウ）「【００２４】図１に示す第１実施形態に係る原稿移動型読取装置１０は、原稿がその主面上を搬送されるコンタクトガラス２を備える。このコンタクトガラス２の裏面側には、画像読み取り部（ＣＣＤ）３を配置している。また、コンタクトガラス２の主面側には、画像読み取り部３に対向して原稿押さえローラ１を配置する。原稿押さえローラ１とコンタクトガラス２との間には、原稿が挟持される隙間を設けている。
　　　【００２５】原稿押さえローラ１の図１に示す矢印Ａで示す原稿搬送方向の上流側に、原稿押さえローラ１とコンタクトガラス２との間に原稿を導入するための上下一対の搬送ガイド板（原稿ガイド板）４，６を設けている。搬送ガイド板４，６には、原稿を挟持し、搬送する搬送ローラ対５ａ，５ｂを設けている。
　　　【００２６】一方、原稿押さえローラ１の原稿搬送方向の下流側に、原稿押さえローラ１とコンタクトガラス２との間から排紙された原稿を導出するための上下一対の排紙ガイド板７ａ，７ｂを設けている。排紙ガイド７ａ，７ｂには、原稿を狭持して搬送する排紙ローラ対８ａ，８ｂを設けている。
　　　【００２７】上述の搬送ガイド板４，６のうち下側の搬送ガイド板６には、図２、３に示すように、原稿清掃部材６ａおよび清掃穴６ｂを設けている。原稿清掃部材６ａは板状体であって、原稿搬送方向Ａに対してほぼ直交する方向に沿って延出し、かつ、搬送ガイド６の表面から原稿の画像面（被読み取り面）側に向かって若干突出している。一方、清掃穴６ｂは、この原稿清掃部材６ａに沿った略長方形状であり、その幅を最大通紙許容幅よりも大きく設定してある。
　　　【００２８】また、図３に示されるように、原稿清掃部材６ａの位置は、原稿１１が搬送ローラ対５ａ、５ｂ間および原稿押さえローラ１とコンタクトガラス２との間にそれぞれ挟持された状態のときに、原稿１１の画像面に画像こすれを生じない位置としている。このとき原稿１１の垂直方向位置は、搬送ローラ対５ａ、５ｂ、原稿押さえローラ１の周速によって決定されるため、原稿１１の厚さに関わらず、常にほぼ一定の位置となる。
　　　【００２９】次に、第１実施形態に係る原稿移動型読取装置１０の基本動作を図１に基づいて説明する。画像情報を持った原稿１１を、画像面を下側にして方向Ａより原稿移動型読取装置１０内に挿入する。原稿１１を、搬送ローラ対５ａ、５ｂに挟持し、搬送ガイド板４、６間で搬送する。原稿１１の先端が原稿押さえローラ１とコンタクトガラス２に到達したら、ＣＣＤ３により画像情報の読み取りを開始する。その後、排紙ローラ対８ａ、８ｂに挟持し、排紙ガイド板７ａ、７ｂ間を搬送して原稿を装置外に排出することにより、読み取り動作を終了する。
　　　【００３０】上述の基本動作において、原稿１１の画像面に付着物（ゴミ）が付いている場合、原稿が搬送ガイド板６に一体化している原稿清掃部材６ａと接触して、表面に付いた付着物が落ちる。付着物は清掃穴６ｂより、図示しないゴミ受けに落下する。このとき、原稿清掃部材６ａが原稿押さえローラ１等と接触しないため、原稿１１の厚さが変化しても原稿１１と原稿清掃部材６ａとの接触圧がほとんど変化せず、鉛筆で描かれた画像においても付着物を取り除きかつ画像こすれを無くすことができる。
」（引用例１の３頁４欄３０行〜４頁５欄３７行、段落【００２４】〜【００３０】）
　（エ）「【００３５】次に、図６〜９に基づいて第４実施形態について説明する。なお、図中、第１実施形態と同じ構成については同一番号を付し、説明を省略する。
　　　【００３６】第４実施形態に係る原稿移動型読取装置４０では、清掃ブラシ４１を、搬送ガイド板６に設けられた清掃ブラシ穴４２から原稿搬送面側にその一部が突出するようにして配置している。この清掃ブラシ４１の幅は最大通紙許容幅よりも大きく設定している。
　　　【００３７】清掃ブラシ４１は、図８に示すように、原稿移動型読取装置４０の側板４３ａ、４３ｂによって保持し、清掃ブラシ４１の一方の端部に駆動プーリ４４を接続している。この駆動プーリ４４を、図９に示すように、搬送ローラ５ｂの端部に接続した駆動プーリ４５からタイミングベルト４６を介して駆動を伝達している。ここで、駆動を伝達する手段としてタイミングベルト４６を用いたが、ギヤ対を使用しても同等の効果が得られる。
　　　【００３８】そして、清掃ブラシ４１に当接するようにして帯電ローラ４７を設けている。この帯電ローラ４７は、清掃ブラシ４１の回転によって互いに擦れあい、静電気力を清掃ブラシ４１に印加する。
　　　【００３９】上記構成からなる第４実施形態に係る原稿移動型読取装置４０の基本動作を図６に基づいて説明する。画像情報を持った原稿を、画像側を下側にして原稿搬送方向Ａより原稿移動型読取装置４０内に挿入する。原稿は、搬送ローラ対５ａ、５ｂに挟持し、搬送ガイド板４、６間を搬送する。原稿１１の先端が、原稿押さえローラ１とコンタクトガラス２に到達すると、ＣＣＤ３により画像情報の読み取りを開始する。その後、原稿を排紙ローラ対８ａ、８ｂで挟持し、排紙ガイド板７ａ、７ｂ間を搬送し、原稿を装置外に排出して、読み取り動作を終了する。
　　　【００４０】上述の基本動作において、原稿の画像面に付着物が付いている場合、この画像面に清掃ブラシ４１が回転しながら接触して付着物を掻き取る。清掃ブラシ４１は、原稿押さえローラ１よりも原稿搬送方向Ａの上流に設けてあるため、原稿の厚さにより原稿と清掃ブラシとの接触圧が変化し難いので、原稿こすれを生じることなく付着物を取ることができる。
　　　【００４１】また、原稿が清掃ブラシ４１と接触した際に掻き取られた付着物は、帯電ローラ４７より印加した静電気力により清掃ブラシ４１に移動する。第１から第３実施形態に係る原稿移動型読取装置１０，２０，３０では、板状体からなる原稿清掃部材６ａが原稿から取り除いた付着物は、主に清掃穴６ｂから自重により落下するが、自重の軽い付着物は清掃穴６ｂにうまく落ちず周りに散らばり散らばり再び原稿に付着する場合があり、コンタクトガラス２へ搬送されて黒スジが発生するおそれがある。しかし、第４実施形態に係る原稿移動型読取装置４０では、上述の通り、付着物は静電気力により清掃ブラシ４１に移動するため、付着物が原稿に再び付着することなく黒スジの発生を防止できる。」（引用例１の４頁６欄２０行〜５頁７欄２１行、段落【００３５】〜【００４１】）  
　（オ）「【００４９】
　　【発明の効果】以上説明したように、請求項１に記載の発明によれば、原稿清掃部材は原稿押さえローラよりも原稿の搬送方向上流に位置しているので、原稿の厚さによって原稿清掃部材と原稿との接触圧が変化し難い。このため、鉛筆等で描かれた画像で画像こすれが生じるのを防止できる。
　　　【００５０】請求項２に記載の発明によれば、原稿清掃部材が板状体で原稿ガイド板と一体に形成しているので、、簡単な構造で、原稿と原稿清掃部材との接触圧が原稿の厚さによらず、鉛筆で描かれた画像においても付着物を取り除きかつ画像こすれを無くすことができる。
　　　【００５１】請求項３に記載の発明によれば、板状体を回動する回動手段を設けているので、原稿の厚さが変わった場合に、回動手段により板状体を回動することにより、原稿の種類によって原稿と原稿清浄部材との接触圧を変更することができ、多くの種類の原稿においても付着物を取り除きかつ画像こすれを無くすことができる。
　　　【００５２】請求項４に記載の発明によれば、原稿清掃部材が弾性部材からなるので、原稿の一部のみ原稿と原稿清掃部材との接触圧を変化させたいときにも対応できる。
　　　【００５３】請求項５に記載の発明によれば、原稿清掃部材を回転体とし、この回転体に静電力を印加する帯電ローラを設けているので、回転体が原稿から掻き取った付着物が回転体に移動し、付着物が散らばり原稿に再付着するのを抑え、原稿に黒スジが発生するのを防止できる。
　　　【００５４】請求項６に記載の発明によれば、クリーニングローラを設けたことにより、回転体に付着した付着物をクリーニングローラで取り除き、回転体から原稿に再び付着物が付着するのが抑えられるので、原稿に黒スジが発生するのを防止できる。
　　　【００５５】請求項７に記載の発明によれば、原稿の通過の有無を検出するセンサを設け、原稿の通過がないときにクリーニングローラを除電するので、クリーニングローラに付着した付着物を取り除き、付着物の逆流を防止し、原稿に黒スジが発生するのを防止できる。」（引用例１の５頁８欄３４行〜６頁９欄２１行、段落【００４９】〜【００５４】）
　
  この記載事項によると、引用例１には、
「原稿がその主面上を搬送されるコンタクトガラス２を備え、このコンタクトガラス２の裏面側には、画像読み取り部（ＣＣＤ）３を配置し、また、コンタクトガラス２の主面側には、画像読み取り部３に対向して原稿押さえローラ１を配置し、原稿押さえローラ１とコンタクトガラス２との間には、原稿が挟持される隙間を設けられ、原稿押さえローラ１の原稿搬送方向の上流側に、原稿押さえローラ１とコンタクトガラス２との間に原稿を導入するための上下一対の搬送ガイド板（原稿ガイド板）４，６を設け、搬送ガイド板４，６には、原稿を挟持し、搬送する搬送ローラ対５ａ，５ｂを設け、一方、原稿押さえローラ１の原稿搬送方向の下流側に、原稿押さえローラ１とコンタクトガラス２との間から排紙された原稿を導出するための上下一対の排紙ガイド板７ａ，７ｂを設け、排紙ガイド７ａ，７ｂには、原稿を狭持して搬送する排紙ローラ対８ａ，８ｂを設け、
　コンタクトガラス２および原稿押さえローラ１の間に原稿を通過させ、コンタクトガラス２の裏面に配置した画像読み取り部３上を移動する原稿の画像を読み取る原稿移動型読取装置１０において、
　原稿の被読み取り面との接触により前記原稿の清掃を行う、板状体あるいは回転体である原稿清掃部材を、前記原稿押さえローラよりも前記原稿の搬送方向上流であって前記原稿の被読み取り面側に設けたことを特徴とする原稿移動型読取装置。」
の発明（以下、「引用例１記載の発明」という。）が記載されていると認められる。
　
３．周知例
（１）特開平１１−９１９７４号公報（周知例１）
　原査定の拒絶の理由に引用文献２として引用された、本願の出願の日前である平成１１年４月６日に頒布された特開平１１−９１９７４号公報（以下「周知例１」という。）には、次の事項が記載されている。
　（ア）「【００３７】次に、この画像形成装置ＰＲ１の搬送ローラ対ＨＲ１に適用された本発明の当接部材としての紙粉除去パッド１０２について図１を用いて説明する。搬送ローラ対ＨＲ１は、対向して圧接する搬送部材としての搬送ローラ１００及び１０１との間のニップ部Ｎにシート材１０４を挟持しつつ両搬送ローラが矢印方向に回転してシート材１０４を搬送するものである。
　　　【００３８】尚、この搬送ローラ対ＨＲ１は、画像形成装置ＰＲ１内のシート材給送装置としてのシート材搬送経路上に配置されたいずれかの搬送ローラ対であり、また、紙粉除去パッド１０２は両方の搬送ローラに設けられることも可能である。
　　　【００３９】図に示されるように、記録紙であるシート材１０４の画像が形成される側（感光ドラム当接面側）に当接する搬送ローラ１００に、図２に示されるように当接部１０２ａの表面に搬送ローラ１００の回転軸に平行な複数本の溝１０２ｂを形成した弾性部材からなる当接部材としての紙粉除去パッド１０２（使用する搬送ローラによって材質，硬度を決定する）を当接する。
　　　【００４０】ここで紙粉除去パッド１０２は、加圧バネ１０３により搬送ローラ１００に圧接される。紙粉除去パッド１０２は、長期間の使用によって序々に紙粉除去パッドが摩耗し、溝１０２ｂの深さが浅くなり効果が低減するが、表面の溝１０２ｂの深さの残量で機能が維持されている状態か否か確認できる。
　　　【００４１】このような構成の紙粉除去パッド１０２を搬送ローラ１００に備えることにより、シート材搬送時に発生し搬送ローラ１００に付着した紙粉は、搬送ローラ１００に圧接された紙粉除去パッド１０２の搬送ローラ１００との当接ニップ部の表面の溝１０２ｂ内にかき落とされ、溝１０２ｂ内に溜まり搬送ローラ１００より除去される。
　　　【００４２】紙粉除去パッド１０２はローラ長手方向の奥と手前で独立してローラ外周の回転軸に向かう法線方向に付勢するように取り付けられた加圧バネ１０３により、紙粉除去パッド１０２が摩耗しても常に搬送ローラ１００と均一に当接するように加圧される。
　　　【００４３】またこの実施の形態では、搬送ローラ１００のゴム硬度より紙粉除去パッド１０２の硬度を高くすることによりローラとパッド間でニップＮを形成し、そのニップＮ内の溝により紙粉が除去される。
　　　【００４４】これにより、搬送ローラ１００表面の紙粉が除去され、ローラの摩擦係数の変動が低減される。その為、シート材搬送のバラツキや搬送不良の発生を防ぐことができる。また、ローラ表面の紙粉を除去することにより、そのローラの当接する用紙表面に付着し、画像形成部へ運ばれる紙粉量も低減する為、感光ドラム表面等に与える損傷や画像形成品質の低下を防ぐことができる。」（周知例１の４頁５欄１７行〜同頁６欄１５行）
　（イ）「【００６４】
　　【発明の効果】本発明によると、回転する表面を有する搬送部材あるいは搬送されるシート材の表面に付着した紙粉を、当接部材の溝の中に移動させて搬送部材の表面から除去することにより、紙粉による搬送不良の防止、高品位な画像形成品質の維持を行なうことが可能となる。」（周知例１の５頁８欄１２〜１８行）
　
　この記載事項によると、周知例１には、次のことが記載されている。
「用紙を搬送するローラと、ローラに接触してローラ表面の紙粉を除去する紙粉除去パットを有する画像形成装置。」
　
（２）特開平９−２３０７６４号公報（周知例２）
　原査定の拒絶の理由に引用文献３として引用された、本願の出願の日前である平成９年９月５日に頒布された特開平９−２３０７６４号公報（以下「周知例２」という。）には、次の事項が記載されている。
　（ア）「【００１５】このような不具合の発生を抑制するために、従来から搬送ローラやレジストローラに一時的に付着した紙粉を取り除く紙粉除去手段を設けることが行われている。図５はこの従来紙粉除去手段を設ける例を拡大して示している。図中２１は紙粉除去ブレードで、ここでは一方の搬送ローラ６に接触して設けている。すなわち、紙粉除去ブレード２１は例えば弾性を有する合成樹脂により搬送ローラ６における記録紙Ｐと接触する部分の軸方向長さに相当する長さもって形成され、ファクシミリ装置の装置本体（図示せず）に取り付けられており、先端が搬送ローラ６の表面における記録紙Ｐと接触する部分の軸方向全体に接触している。そして、搬送ローラ６が記録紙Ｐを搬送するために搬送方向に回転することにより、搬送ローラ６の表面に摺接して紙粉除去ブレード２１が搬送ローラ６の表面に付着している紙粉Ｈを掻き落とす。
　　　【００１６】２２は紙粉除去ブラシで、ここでは一方のレジストローラ８に接触して設けている。すなわち、紙粉除去ブラシ２２は、レジストローラ８における記録紙Ｐと接触する部分の軸方向長さに相当する長さ有するブラシ本体２２ａに多数の毛２２ｂを植えたものであり、ブラシ本体２２ａが装置本体に取り付けられ、毛２２ｂがレジストローラ８の表面における記録紙Ｐと接触する部分の軸方向全体に接触している。そして、レジストローラ７、８が記録紙Ｐを搬送するために搬送方向に回転することにより、レジストローラ７、８の表面に摺接して紙粉除去ブラシ２２がレジストローラ７、８の表面に付着している紙粉Ｈを掻き落とす。
　　　【００１７】これらの紙粉除去ブレード２１と紙粉除去ブラシ２２は、搬送ろーら５、６およびレジストローラ７、８に一時的に付着する紙粉Ｈを取り除いて、紙粉Ｈが画像形成部Ａに入り込む量を低減する効果がある。」（周知例２の３頁３欄１３〜４４行）
　
　この記載事項によると、周知例２には、次のことが記載されている。
「レジストローラに紙粉除去ブラシを接触して設けた画像形成装置。」
　
（３）特開昭５９−７９２７４号公報（周知例３）
　原査定の拒絶の理由に引用文献５として引用された、本願の出願の日前である昭和５９年５月８日に頒布された特開昭５９−７９２７４号公報（以下「周知例３」という。）には、次の事項が記載されている。
　（ア）「像形成体上に形成したトナー像を像形成体に接するように送り込まれた記録紙転写して定着する静電記録装置において、前記
記録紙を送り込む搬送ローラのうち少なくとも記録紙の転写面側と接するローラに対して、該ローラの表面に接触して付着物を除去する摺擦部材
　
（４）特開平５−１６５３７５号公報（周知例４）
　原査定の拒絶の理由に引用文献６として引用された、本願の出願の日前である平成５年７月２日に頒布された特開平５−１６５３７５号公報（以下「周知例４」という。）には、次の事項が記載されている。
　（ア）「【請求項１】回転することにより
用紙を搬送する搬送ローラのクリーニング装置
　前記
搬送ローラの表面に先端が接触する絶縁性のブラシ
　前記ブラシよりもローラ回転方向下流側に配置され、前記
搬送ローラの表面に圧接するスポンジ
を備えた搬送ローラのクリーニング装置。」（周知例４の２頁１欄２〜８行、段落【特許請求の範囲】）
　（イ）「【０００２】
【従来の技術及びその課題】複写機等の画像形成装置において、用紙を画像形成部等へ搬送するための給紙経路には、一般に搬送ローラが配置されている。この
搬送ローラには用紙の切り屑等からなる紙粉が付着しやすいので、搬送ローラに隣接してクリーニング装置を設けることが従来より行われている。
　
（５）特開平１０−３５９３３号公報（周知例５）
　特開平１０−３５９３３号公報には次のことが記載されている。
　（ア）「【００１７】本発明に係る
原稿搬送装置は、ピックアップコロ３およびフィードコロ４の外周面に付着した紙粉をその回転に連動して自動的に除去する構成を備えている
ピックアップコロ３およびフィードコロ４に付着した紙粉を除去するクリーニングコロ１１を備えている
　（イ）「【００１９】原稿が図示されない原稿載置台からコンタクトガラス２の読取位置に向けて搬送が開始されるとき、ピックアックコロ３およびフィードコロ４は時計方向に回転するので、もしクリーニングコロ１１が図３のＡの位置にあれば、ガイドスリット９ａおよび９ｂの逆凹型半月形状に対してクリーニングコロ１１はピックアップコロ３から食い込み方向の回転力を与えられるので、そのままピックアップコロ３との摩擦力により連れ回りする。逆に、クリーニングコロ１１が図３のＢの位置にあれば、ガイドスリット９ａおよび９ｂの逆凹型半月形状の図３におけるＢの位置からＡの位置に向けてクリーニングコロ１１はフィードコロ４によってからＢの位置からはじき出されるような回転力を与えられるので、クリーニングコロ１１はＡの位置に移動して、ピックアップコロ３と接触して摩擦力により連れ回りする。
【００２０】何れにしても、図示されないコントローラからの給紙スタート信号により給紙モータ８が正転駆動されるとき、クリーニングコロ１１はピックアップコロ３と接触して、ピックアップコロ３とは反対の反時計方向に回転させられる。このとき、クリーニングコロ１１のクリーニング層の働きにより、クリーニングコロ１１の外周面にフィードコロ４の外周面に付着した紙粉が付着して、フィードコロ４から紙粉が取り除かれる。」（周知例５の４頁５欄２８〜４２行、段落【００１９】、【００２０】）
　
（６）特開平６−９２４９７号公報（周知例６）
　特開平６−９２４９７号公報には次のことが記載されている。
　（ア）「【０００７】【実施例】次に、本発明の実施例について図面を参照して説明する。図１は本発明の第１実施例の給紙装置の要部側断面図であり、図１において、
給紙コロ１は、給紙装置の給紙ガイド板２上の図示しない原稿等の下面に接してこれを原稿読取部へ搬送し給紙する。給紙コロ１の下方の表面を一定の力で、弾性力を有する擦り部材３が擦るように配置されている
弾性力を有する擦り部材３は、給紙コロ１の表面に摺接して、そこに付着する紙粉等のゴミを落下させないで取り除くことが出来れば
　
４．対比
　本願発明と引用例１に記載された発明とを比較すると、
引用例１の「コンタクトガラス」は、本願発明の「露光窓」に相当し、
引用例１の「画像読み取り部」は、本願発明の「読取手段」に相当し、
また、引用例１には記載されていないが、原稿読取装置においては、原稿を積載する給紙トレイと、給紙トレイ上の原稿を給紙する送り出し手段、送り出し手段から給紙された原稿を分離し搬送する分離手段、原稿を搬送するローラを設けることは周知慣用のことであるから、
　両者は
「原稿を積載する給紙トレイと、
　前記給紙トレイ上の原稿を給紙する送り出し手段と、
　前記送り出し手段から給紙された原稿を分離し搬送する分離手段と、
　前記分離手段で分離された原稿を露光位置に搬送するローラと、
　前記露光位置を通過する原稿からの像光を透過する露光窓と、
　前記露光窓を介して原稿の画像を読み取って電気信号に変換する読取手段と、
　露光窓に紙粉等の汚れが付着するのを防止するためのクリーニング手段を設けたことを特徴とする原稿読取装置。」
で一致し、次の点で相違する。
（相違点）
　露光窓に紙粉等の汚れが付着するのを防止するためのクリーニング手段として、本願発明は、分離手段で分離された原稿を露光位置に搬送するレジストローラを設け、そのレジストローラに接触してクリーニングするクリーニング手段を設けたのに対して、引用例１記載の発明では、板状体あるいは回転体である原稿清掃部材を、原稿押さえローラよりも原稿の搬送方向上流であって原稿の被読み取り面側に設けた点。
　
５．当審の判断
　引用例１のもにおいて、原稿清掃部材を設けたのは、段落【０００３】にも記載されているように、原稿が原稿押さえローラとコンタクトガラスの間の隙間を通過する際、画像面側に付いた付着物がコンタクトガラス上に付着し、この付着物がちょうどＣＣＤの読み込み位置上に付着すると、原稿読み取りの際に常に画像上に現れ、このため、付着物がたとえ微少な粒状であっても、コピー画像には搬送方向全体につながる線、いわゆる黒スジとして現れ、画像に忠実な読み込みを行うことができなくなることを防ぐために、原稿の付いた付着物を取り除くために設けたのである。
　一般的に、装置に悪影響を与える、用紙に付着した紙粉を、ローラとローラに接触したクリーニング手段を設けて取り除くことは、画像形成装置においても、原稿読取装置においても周知慣用のことである。（例えば、画像形成装置においては、上記周知例１〜４等を参照。原稿読取装置においては、上記周知例５、６等を参照。）
　さらに、画像形成装置と原稿読取装置とは、複写機などでは原稿の読取と画像の形成を同じ機械で行っているように、切り離せない技術分野に属するものであるから、画像形成装置に携わる技術者にとって周知技術は、原稿読取装置に携わる技術者にとっても周知技術である。
　このように、用紙、原稿等についた紙粉を取り除くために、ローラを設け、そのローラに接触してクリーニングするクリーニング手段を設けることより行うことは周知のことであるから、引用例１の紙粉等の付着物を取り除く原稿清掃部を、紙粉等の付着物を取り除く手段として周知のものである、ローラと、そのローラに接触してクリーニングするクリーニング手段とを設けるものとすることは当業者にとって単なる設計事項であり、さらに、ローラをレジストローラとすることも設計事項である。
　また、引用例１の原稿清掃部を、ローラと、そのローラに接触してクリーニングするクリーニング手段としても、その作用効果も露光窓の汚れを防止する点では変わりがなものである。
　したがって、引用例１のものにおいて、原稿を露光位置に搬送するレジストローラを設け、原稿に付着した付着物を取り除くために、そのレジストローラに接触してクリーニングするクリーニング手段を設けるようにすることは、当業者が容易に想到することができることであると認められる。
 　
６．むすび
　 したがって、本願発明は、引用例１に記載された発明、及び、周知技術に基いて当業者が容易に発明をすることができたものであるので、特許法第２９条第２項の規定により特許を受けることができない。
  よって、結論のとおり審決する。